(57)【要約】【課題】低コストで製造することが可能で、組立も簡易な扉取付構造を提供する。【解決手段】吊元支持体１１に形成された支持体側係着口１４、吊元側縦框１５に形成された扉側係着口１３、扉取付部材１２を備える。扉取付部材１２は、板状部材で形成された基体２０並びに基体２０に所定間隔で切欠溝状に形成された支持体側係着溝２１及び扉側係着溝２２を備え、支持体側係着溝２１が支持体側係着口１４に遊嵌され、扉側係着溝２２が扉側係着口１３に遊嵌されて扉１０が吊元支持体１１に係着されている。このように、扉取付部材１２を板材で一体成型したことで安価に製造できる。また、扉１０は扉取付部材１２を介して吊元支持体１１に係支されているだけなので扉１０の着脱が極めて容易である。【選択図】        図２
2006278504.tif 000002
【特許請求の範囲】
【請求項１】
扉を支持する吊元支持体に開口形成された支持体側係着口；
前記扉の吊元側縦框の、前記支持体側係着口に対向する位置に開口形成された扉側係着口；
及び、前記扉を前記吊元支持体に回動自在に係着する扉取付部材；
を備えた扉取付構造において、
前記扉取付部材は、
一枚の板状部材で形成された基体；
並びに、前記基体の側辺に所定の間隔を開けて切欠溝状に形成された支持体側係着溝及び扉側係着溝；
を備え、
前記支持体側係着溝が前記支持体側係着口に遊嵌され、前記扉側係着溝が前記扉側係着口に遊嵌されることにより前記扉が前記吊元支持体に係着されていること
を特徴とする扉取付構造。
【請求項２】
前記支持体側係着溝は、
前記扉側係着溝と同方向に開口して形成された第１の支持体側係着溝；
及び、溝底中央から溝開口中央を通る溝中央線が前記第１の扉側係着溝と略平行で且つ開口方向が反対向きに形成された第２の支持体側係着溝；
からなり、
前記第１及び前記第２の支持体側係着溝は、前記第１の支持体側係着溝の溝底及び前記第２の支持体側係着溝の溝底に交差し且つ前記溝中央線と平行で前記支持体側係着口部分の前記吊元支持体の板厚よりも広い幅の一対の平行線が少なくとも１組存在する位置関係に配設され、
前記第１及び第２の支持体側係着溝は、前記支持体側係着口の下辺及び上辺に遊嵌されていること
を特徴とする請求項１記載の扉取付構造。
【請求項３】
一枚の板状部材で一体形成された基体；
並びに、前記基体の側辺に所定の間隔を開けて切欠溝状に形成された支持体側係着溝及び扉側係着溝；
を備えた扉取付部材。
【請求項４】
前記支持体側係着溝は、
前記扉側係着溝と同方向に開口して形成された第１の支持体側係着溝；
及び、溝底中央から溝開口中央を通る溝中央線が前記第１の扉側係着溝と略平行で且つ開口方向が反対向きに形成された第２の支持体側係着溝；
からなり、
前記第１及び前記第２の支持体側係着溝は、前記第１の支持体側係着溝の溝底及び前記第２の支持体側係着溝の溝底に交差し且つ前記溝中央線と平行な線が少なくとも１本存在する位置関係であること
を特徴とする請求項３記載の扉取付部材。
【発明の詳細な説明】
【技術分野】
【０００１】
本発明は、機器組み込み用の制御箱、基板ケース等に応用可能な扉を吊元支持体に回動自在に支持する扉取付構造及びそれに使用する扉取付部材に関する。
【背景技術】
【０００２】
給湯栓や風呂、暖房装置等に温水を供給する温水器においては、筐体の扉や筐体内部の中扉などにおいて、扉を回動自在に支持する扉取付構造が用いられる。かかる扉取付構造には、ヒンジを使用した構造が一般に広く使用される。
【０００３】
ところで、温水器の筐体では、内部の修理や点検を行う際に扉を取り外して作業したい場合がしばしばある。従って、このような筐体における扉取付構造では、扉の脱着を容易に行うことが可能な構造が要求される。
【０００４】
このような扉取付構造として、特許文献１には脱着容易な蝶番を使用した扉取付構造が記載されている（図６参照）。特許文献１記載の扉取付構造１００においては、箱部材１０１、扉部材１０２、ピン挿込管部１０３，１０３、及び蝶番金具１０４で構成される。箱部材１０１には開口１０５が形成されており、扉部材１０２はこの開口１０５を施蓋する。ピン挿込管部１０３，１０３は、箱部材１０１の開口縁の一側上下にそれぞれ設けられている。蝶番金具１０４は、固定片部１０４ａ及び固定片部１０４ａの一側に設けられたピン１０４ｂを備えており、ピン１０４ｂはピン挿込管部１０３の内側開口より外向きに挿込可能に形成されている。そして、蝶番金具１０４はピン１０４ｂを各ピン挿込管部１０３の内側開口から外向きに挿し込んだ状態として扉部材１０２の裏側を箱部材１０１に軸支し回動自在に連結する。これにより、簡単な手数で扉部材１０２を箱部材１０１に取り付けることが可能である。
【０００５】
また、更に簡単な扉取付構造として、特許文献２には係止片により機器の筐体に扉を係着したものが知られている（特許文献２参照）。図７は特許文献２に記載の扉取付構造を表す図である。
【０００６】
図７の扉取付構造１１０においては、機器１１１、機器側枠片１１２、扉１１４、開閉手段１１５、及び固定板１１６を備えている。機器１１１は、前方が開口した箱状の枠体に構成されている。機器側枠片１１２は、機器１１１の開口の周囲に形成されている。扉１１４には、機器側枠片１１２と対向する扉側枠片１１３が設けられている。開閉手段１１５は、扉１１４の吊元側に設けられ、扉１１４を機器側枠片１１２に開閉自在に係着している。固定板１１６は、扉１１４の戸先側を機器側枠片１１２に着脱自在に固定する手段である。
【０００７】
また、開閉手段１１５は、基部１１８を有する取付部１２０、及び取付孔１２１により構成されている。基部１１８は、機器側枠片１１２に収納部１１７が形成されるように突出し設けられる。取付部１２０は、基部１１８の端部より垂直状に突出し設けられている。取付部１２０には、扉１１４の内側に対応する係止部１１９が設けられている。取付孔１２１は、扉側枠片１１３に扉１１４の側壁端部が露出するように側壁内面より開口形成されている。取付孔１２１には、取付部１２０の基部１１８が嵌挿される。
【０００８】
そして、扉１１４の閉鎖時には、収納部１１７の側方に位置していた扉１１４の側壁端部が、扉１１４の開放時には収納部１１７の奥側に移動しながら扉１１４が開放されるように構成されている。
【０００９】
扉１１４を機器１１１に取り付ける時は、扉１１４の扉側枠片１１３に設けた取付孔１２１を、機器側枠片１１２に設けた取付部１２０の係止部１１９及び基部１１８に嵌挿する。そして、係止部１１９を扉１１４の内側に対応させ、扉１１４の側壁１１４ａを収納部１１７の側方に位置させ、側壁端部１１４ｂが機器側枠片１１２に対向するようにして扉１１４が閉鎖した状態に取り付ける（図８（ａ）参照）。扉１１４の戸先側は、扉１１４に設けた切欠き１２２が機器側枠片１１２に設けた固定板１１６の台形状部に係合する。切欠き１２２は所定の位置に案内され、扉１１４に設けた固定突部１２３が機器側枠片１１２に設けた固定孔１２４に嵌合し固定される。
【００１０】
扉１１４の開放時には、扉１１４の固定板１１６の固定を解除するように扉１１４を手前に引張る。扉１１４は、扉１１４の側壁端部１１４ｂが収納部１１７の奥側に移動しながら扉１１４は開方向に回動する（図８（ｂ）参照）。そして、係止部１１９が扉１１４の扉側枠片１１３の内面側に当接して受け止められ、扉１１４は開放状態で保持される（図８（ｃ）参照）。
【００１１】
このように、扉１１４の解放時に側壁端部１１４ｂが収納部１１７の奥側に移動しながら扉１１４を開放することにより、扉１１４の開閉手段１１５は外部に露出することがなくなり、外観をよくするとともに扉１１４を脱着自在にすることができる。
【特許文献１】特開平１０−２５９４９号公報
【特許文献２】特開２０００−２９４９５１号公報
【発明の開示】
【発明が解決しようとする課題】
【００１２】
しかしながら、上記の蝶番金具１０４を使用した従来の扉取付構造１００は、蝶番金具１０４を使用するためにコスト高となる。また、蝶番金具１０４を筐体や箱部材１０１や扉部材１０２にねじ止めする必要があり、組み立てにも手間が掛かる。
【００１３】
一方、上記従来の係止片に扉を係着させる扉取付構造１１０は、蝶番を使用しないため比較的低コストで製造することができる。しかしながら、機器側枠片１１２に収納部１１７を溶接等により突設する必要があり、やはり組み立てに手間が掛かる。また、扉１１４を取り外して作業する場合、機器側枠片１１２の表面に収納部１１７が突出しているため、作業中に作業者の衣服が引っかかったりして作業の障害となるおそれがある。また、従来の扉取付構造は扉の開き角度が略９０度までと小さい。そのため、開扉した状態での作業がし辛いという問題もある。
【００１４】
そこで、本発明の目的は、極めて低コストで製造することが可能であり、かつ組み立ても極めて簡易で、扉の開き角度を１８０度程度まで開くことが可能な扉取付構造及びそれに使用する扉取付部材を提供することにある。
【課題を解決するための手段】
【００１５】
本発明に係る扉取付構造の第１の構成は、扉を支持する吊元支持体に開口形成された支持体側係着口；前記扉の吊元側縦框の、前記支持体側係着口に対向する位置に開口形成された扉側係着口；及び、前記扉を前記吊元支持体に回動自在に係着する扉取付部材；を備えた扉取付構造において、前記扉取付部材は、一枚の板状部材で形成された基体；並びに、前記基体の側辺に所定の間隔を開けて切欠溝状に形成された支持体側係着溝及び扉側係着溝；を備え、前記支持体側係着溝が前記支持体側係着口に遊嵌され、前記扉側係着溝が前記扉側係着口に遊嵌されることにより前記扉が前記吊元支持体に係着されていることを特徴とする。
【００１６】
この構成によれば、扉取付部材は、板材で一体成型されたものであるため、極めて安価に製造することができる。また、扉は扉取付部材を支持体側係着口及び扉側係着口に遊嵌することによって係着されているだけなので、扉を吊元支持体に脱着することも極めて容易である。
【００１７】
更に、扉は、支持体側係着口と扉取付部材の支持体側係着溝との接触点（以下「支持体側対偶点」という。）、及び扉側係着口と扉取付部材の扉側係着口との接触点（以下「扉側対偶点」という。）の２点において係支される。すなわち、支持体側対偶点を静止対偶点、扉取付部材を中間節、扉側対偶点を支持体側対偶点の周りを回動する移動対偶点とする二関節リンク機構となる。そして、扉の吊元側縦框は支持体側対偶点の周りを回動する。すなわち、中間節の長さだけ吊元支持体から離れた対偶点を中心として回動する。そのため、扉の吊元側縦框と吊元支持体との間には遊びができるため、吊元側縦框が吊元支持体に当たることによる扉の回動角の制限が緩和される。従って、扉の回動角をより広角にすることが可能となる。
【００１８】
ここで、扉取付部材の基体は十分な強度を有する板状部材で形成されていればよく、その素材は何であってもよい。従って、基体は金属、合成樹脂等により形成することができる。また、基体は板状であればよく、平板、折板、曲板等であってもよい。
【００１９】
本発明に係る扉取付構造の第２の構成は、前記第１の構成において、前記支持体側係着溝は、前記扉側係着溝と同方向に開口して形成された第１の支持体側係着溝；及び、溝底中央から溝開口中央を通る溝中央線が前記第１の扉側係着溝と略平行で且つ開口方向が反対向きに形成された第２の支持体側係着溝；からなり、前記第１及び前記第２の支持体側係着溝は、前記第１の支持体側係着溝の溝底及び前記第２の支持体側係着溝の溝底に交差し且つ前記溝中央線と平行で前記支持体側係着口部分の前記吊元支持体の板厚よりも広い幅の一対の平行線が少なくとも１組存在する位置関係に配設され、前記第１及び第２の支持体側係着溝は、前記支持体側係着口の下辺及び上辺に遊嵌されていることを特徴とする。
【００２０】
この構成により、扉取付部材は、第１及び第２の支持体側係着溝が、それぞれ支持体側係着口の上下の辺に遊嵌されるため、扉取付部材が支持体側係着口から容易に外れ落ちることを防止することができる。
【００２１】
本発明に係る扉取付部材の第１の構成は、一枚の板状部材で一体形成された基体；並びに、前記基体の側辺に所定の間隔を開けて切欠溝状に形成された支持体側係着溝及び扉側係着溝；を備えたことを特徴とする。
【００２２】
この構成により、上述の扉取付構造の第１の構成において使用するのに適した扉取付部材が提供される。
【００２３】
本発明に係る扉取付部材の第２の構成は、前記第１の構成において、前記支持体側係着溝は、前記扉側係着溝と同方向に開口して形成された第１の支持体側係着溝；及び、溝底中央から溝開口中央を通る溝中央線が前記第１の扉側係着溝と略平行で且つ開口方向が反対向きに形成された第２の支持体側係着溝；からなり、前記第１及び前記第２の支持体側係着溝は、前記第１の支持体側係着溝の溝底及び前記第２の支持体側係着溝の溝底に交差し且つ前記溝中央線と平行な線が少なくとも１本存在する位置関係であることを特徴とする。
【００２４】
この構成により、上述の扉取付構造の第２の構成において使用するのに適した扉取付部材が提供される。
【発明の効果】
【００２５】
以上のように、本発明の扉取付構造によれば、扉取付部材を板材で一体成型したことにより、極めて安価に製造することができる。また、扉は扉取付部材を介して吊元支持体に係支されているだけなので、扉取付部材に対する扉の着脱が極めて容易である。更に、扉取付部材を中間節とする二関節リンク機構となるため、吊元側縦框が吊元支持体に当たることによる扉の回動角の制限が緩和される。従って、扉の回動角をより広角にすることが可能となる。
【００２６】
また、本発明に係る扉取付部材によれば、上述の扉取付構造において使用するのに適した扉取付部材を提供することが可能となる。
【発明を実施するための最良の形態】
【００２７】
以下、本発明を実施するための最良の形態について、図面を参照しながら説明する。
【実施例１】
【００２８】
図１は本発明の実施例１に係る扉取付構造を用いた温水器筐体１の一部外装を外した状態の外観斜視図、図２は扉取付部材１２付近の拡大図、図３は扉１０の各方向から見た平面図である。温水器筐体１は、床に垂直に立設された４本の垂直枠体２、床面において前後の垂直枠体２，２を連結して設けられた一対の支持枠体３，３、及び４本の垂直枠体２の頂部に支持された天板４を備えている。温水器筐体１の内部には、貯湯タンク５、給湯回路６、熱交換器７、補助熱源器８、制御基板９等の各種設備が内蔵されている。
【００２９】
制御基板９は、温水器筐体１の前面に内蔵されており、扉１０に支持されている。そして、扉１０は、前面に向かって左側の垂直枠体２（以下「吊元支持体１１」という。）の中央部付近に、本実施例に係る扉取付構造によって回動自在に係着されている。
【００３０】
扉１０の吊元側縦框１５の上部及び下部には、扉側係着口１３が開口形成されている（図２参照）。一方、扉側係着口１３に対向する吊元支持体１１の側面には、支持体側係着口１４が開口形成されている。そして、この扉側係着口１３及び支持体側係着口１４に扉取付部材１２が嵌挿され、これにより扉１０が吊元支持体１１に係着されている。
【００３１】
図４は、実施例１に係る扉取付部材１２の平面図である。扉取付部材１２は、一枚の金属製の平板材で形成された基体２０を有する。基体２０には、所定の間隔を開けて支持体側係着溝２１ａ及び扉側係着溝２２が切欠溝状に形成されている。支持体側係着溝２１ａ及び扉側係着溝２２は、同方向に開口している。
【００３２】
また、基体２０の支持体側係着溝２１ａの反対側の側辺には、支持体側係着溝２１ａとは反対向きに開口する支持体側係着溝２１ｂが形成されている。支持体側係着溝２１ａ，２１ｂは、支持体側係着口１４に遊嵌される。また、扉側係着溝２２は扉側係着口１３に遊嵌される。以下、基体２０の支持体側係着口１４に挿入される部分（図４の支持体側係着溝２１ａ，２１ｂの左側の耳片状部分）を「支持体側挿入部」という。
【００３３】
図４において、支持体側係着溝２１ａの溝底中央から溝開口中央を通る溝中央線をＬａと記す。支持体側係着溝２１ｂの溝底中央から溝開口中央を通る溝中央線をＬｂと記す。扉側係着溝２２の溝底中央から溝開口中央を通る溝中央線をＬｃと記す。このとき、支持体側係着溝２１ａ，２１ｂ及び扉側係着溝２２は、溝中央線Ｌａ，Ｌｂ，Ｌｃは平行線となるように形成されている。
【００３４】
更に、支持体側係着溝２１ａ，２１ｂは、支持体側係着溝２１ａの溝底及び支持体側係着溝２１ｂの溝底に交差し且つ溝中央線Ｌａ，Ｌｂと平行であるような直線をＧと記す。直線Ｇのうち、最も左にあるものをＧｌ、最も右にあるものをＧｒと記す。直線Ｇｌと直線Ｇｒとの幅をｄと記す。このとき、支持体側係着溝２１ａ，２１ｂの位置関係は、幅ｄが、吊元支持体１１の支持体側係着口１４，１４が開口している部分の板厚よりも僅かに大きな値となるような位置関係とされている。これにより、支持体側係着溝２１ａ，２１ｂが支持体側係着口１４に遊嵌した際に、溝中央線Ｌａ，Ｌｂを吊元支持体１１の軸線と略平行に保つことが可能である。
【００３５】
また、支持体側係着溝２１ｂから支持体側係着溝２１ａの支持体側挿入部側の溝頂までの距離をｘ１と記す。支持体側係着溝２１ａから支持体側係着溝２１ｂの支持体側挿入部側の溝頂までの距離をｘ２と記す。このとき、ｘ１は支持体側係着口１４の長手方向の幅よりも長くなるように形成されている。ｘ２は支持体側係着口１４の長手方向の幅よりも短くなるように形成されている。これにより、基体２０の支持体側挿入部を支持体側係着口１４に挿脱することが可能である。また、基体２０の支持体側挿入部を支持体側係着口１４に挿入した後は、支持体側挿入部の上下部分（支持体側係着溝２１ａ，２１ｂの溝壁をなす部分）が支持体側係着口１４の内側（筐体内側）に引っ掛かり、扉取付部材１２は吊元支持体１１に係着される。すなわち、扉取付部材１２を支持体係着口１４に装脱することによって、温水器筐体１に対して扉１０の脱着を容易に行うことが可能となる。
【００３６】
以上のように構成された本実施例に係る扉取付構造において、次に、その扉開閉時の動作について図５を参照しながら説明する。
【００３７】
まず、扉１０が閉じている状態においては、吊元支持体１１に対する扉１０の位置関係は、図５（ａ）の状態にある。ここで、扉１０は、扉取付部材１２を介して吊元支持体１１に回動自在に係着されている。この機構においては、扉取付部材１２の支持体側係着溝２１ａ，２１ｂと吊元支持体１１の支持体側係着口１４とが遊嵌している接触点（以下「支持体側対偶点Ｃ１」という。）、及び扉取付部材１２の扉側係着溝２２と扉１０の扉側係着口１３とが遊嵌している接触点（以下「扉側対偶点Ｃ２」という。）が対偶点となる。すなわち、支持体側対偶点Ｃ１を静止対偶点、支持体側対偶点Ｃ１と扉側対偶点Ｃ２の間の扉取付部材１２を中間節、扉側対偶点Ｃ２を支持体側対偶点Ｃ１の周りを回動する移動対偶点とする二関節リンク機構となる。
【００３８】
図５（ａ）において扉１０を開扉する場合、扉１０の戸先を図５（ａ）の矢印Ａ方向に回動させる。このとき、扉１０は支持体側対偶点Ｃ２の周りを回動する。
【００３９】
図５（ｂ）の位置まで回動すると、今度は、支持体側対偶点Ｃ１を中心として扉取付部材１２が回動可能となり、扉１０及び扉取付部材１２は支持体側対偶点Ｃ１の周りを矢印Ｂ方向に回動する。図５（ｃ）の位置で、扉１０は丁度９０度開扉した状態となる。そして、更に扉１０及び扉取付部材１２は支持体側対偶点Ｃ１の周りを矢印Ｂ方向に回動回動可能である。
【００４０】
図５（ｄ）の位置まで回動したとき、扉取付部材１２の支持体側係着溝２１ａ，２１ｂが支持体側係着口１４の孔側壁に阻まれて、それ以上は回動することができなくなる。その場合、扉１０は、扉側対偶点Ｃ２を中心として図５（ｄ）の矢印Ｃ方向に回動する。そして、扉１０は、図５（ｅ）のように最大約１８０度の角度まで開扉することができる。
【００４１】
このように、本実施例の扉取付構造によれば、扉１０は支持体側対偶点Ｃ１を中心に所定の角度だけ回動することが可能であるとともに、支持体側対偶点Ｃ１から中間節の長さだけ離れた扉側対偶点Ｃ２を中心としても回動することができる。そのため、扉１０の吊元側縦框１５と吊元支持体１１との間には中間節の長さ分の遊び幅ができる。従って、吊元側縦框１５が吊元支持体１１に当たることによる扉１０の回動角の制限が緩和され、扉１０の回動角をより広角にすることが可能となる。
【００４２】
また、上述のように、扉取付部材１２は、金属平板により一体形成されているため、金属板の打ち抜きにより容易に製造することが可能である。また、扉取付部材１２が嵌合する扉側係着口１３及び支持体側係着口１４も、扉１０及び吊元支持体１１の打ち抜き加工によって容易に製造することが可能である。従って、本実施例に係る扉取付構造は、上述の従来のものに比べると極めて低コストで製造することが可能である。
【図面の簡単な説明】
【００４３】
【図１】本発明の実施例１に係る扉取付構造を用いた温水器筐体１の一部外装を外した状態の外観斜視図である。
【図２】扉取付部材１２付近の拡大図である。
【図３】扉１０の各方向から見た平面図である。
【図４】実施例１に係る扉取付部材１２の平面図である。
【図５】実施例１に係る扉取付構造の扉開閉動作を説明する図（図１のＡ−Ａ方向から見た図）である。
【図６】特許文献１記載の扉取付構造を表す図である。
【図７】特許文献２に記載の扉取付構造を表す図である。
【図８】特許文献２に記載の扉取付構造の扉開閉動作を表す図である。
【符号の説明】
【００４４】
１  温水器筐体
２  垂直枠体
３  支持枠体
４  天板
５  貯湯タンク
６  給湯回路
７  熱交換器
８  補助熱源器
９  制御基板
１０  扉
１１  吊元支持体
１２  扉取付部材
１３  扉側係着口
１４  支持体側係着口
１５  吊元側縦框
２０  基体
２１ａ，２１ｂ  支持体側係着溝
２２  扉側係着溝
Ｃ１  支持体側対偶点
Ｃ２  扉側対偶点
【図１】
2006278504.tif 000003
【図２】
2006278504.tif 000004
【図３】
2006278504.tif 000005
【図４】
2006278504.tif 000006
【図５】
2006278504.tif 000007
【図６】
2006278504.tif 000008
【図７】
2006278504.tif 000009
【図８】
2006278504.tif 000010